(57)【要約】【課題】  原稿の画像読取処理を行うための読取ユニットが装置本体内に組み込まれる構造であっても、前記読取ユニットに備わる読取プラテンのクリーニングや交換等のメンテナンスが容易であると共に、クリーニングやメンテナンスの際に前記読取プラテンに損傷を及ぼすことのない着脱構造を備えた画像読取装置を提供することである。【解決手段】  原稿を読み取るための第３のコンタクトガラス７を有する第２の読取ユニット４と、この読取ユニット４を原稿送り装置Ａに対して着脱可能とする開口部５０ａからなる支持手段と、コンタクトガラス７に対向配置されて搬送経路の一部を構成すると共にコンタクトガラス７から離れる方向に移動可能なガイド手段１４と、読取ユニット４の原稿送り装置Ａに対する着脱動作を規制する規制手段７０と、ガイド手段１４の移動動作と規制手段７０による読取ユニット４の規制の解除動作を連動させる第１ピン７０ｂとを備えた。【選択図】      図６
2008162775.tif 000002
【特許請求の範囲】
【請求項１】
原稿を読み取るための読取プラテンを有する読取ユニットと、この読取ユニットを装置本体に対して着脱可能に支持する支持手段と、前記読取プラテンに対向して配置され該読取プラテンとの間に搬送経路の一部を構成すると共に、該読取プラテンから離れる方向に移動可能に設けられるガイド手段と、前記読取ユニットの前記装置本体に対する着脱動作を規制する規制手段と、前記ガイド手段の移動動作と前記規制手段による前記読取ユニットの規制の解除動作を連動させる連動手段とを設けたことを特徴とする画像読取装置。
【請求項２】
前記ガイド手段は、前記読取プラテンと対向する位置にガイド面を有し、このガイド面と前記読取プラテンとの間に原稿を搬送するためのギャップを形成するためのガイド突起を前記ガイド面の原稿搬送幅方向の両端側にそれぞれに設けた請求項１記載の画像読取装置。
【請求項３】
前記支持手段は、装置本体の両側部に配置された一対の側板を有し、該側板の一方に前記読取ユニットを着脱させる開口部を形成した請求項１記載の画像読取装置。
【請求項４】
前記規制手段は、前記側板の開口部に重なる規制位置と開口部から退避した解除位置との間で移動自在に構成される請求項１記載の画像読取装置。
【請求項５】
前記連動手段は、前記ガイド手段の移動動作に連動して前記規制手段による前記読取ユニットの規制を解除させる請求項１記載の画像読取装置。
【発明の詳細な説明】
【技術分野】
【０００１】
本発明は、複写機等の装置本体に備わる画像読取装置に関し、詳しくは搬送されてくる原稿を読取処理するための読取ユニットを装置本体に対して着脱可能に設置した画像読取装置に関するものである。
【背景技術】
【０００２】
一般に、複写機等に備わる原稿送り部には、給紙トレイから読取プラテンを介して原稿を排紙トレイに搬送する過程で原稿画像を読取処理するための画像読取装置が搭載されている。この種の画像読取装置においては、読取プラテンと一体になった読取ユニットを備え、前記読取プラテンを通過する原稿を連続して読み取るように構成されている。前記読取プラテンは、一般的にコンタクトガラスで形成され、搬送路の一部を成している（特許文献１，特許文献２）。
【０００３】
上記画像読取装置には、読取プラテン位置において原稿を安定して搬送させ、良好な読み取り画像を得るために、前記読取プラテンに原稿がスムーズに流れるようにガイドするためのガイド手段が設けられる。このガイド手段には、前記読取プラテンに原稿面を軽く接触させるためのガイド突起を設けて構成される。このようなガイド突起を設けることで、原稿が前記読取プラテンに沿ってスムーズに流れるような最小のギャップを保持している（特許文献３）。
【０００４】
ところで、前記読取プラテンは、搬送される原稿と常に接触している状態となっているため、原稿の紙紛や原稿面に形成されている未乾燥のインキ、トナー等の汚れが付着する場合がある。このような汚れのある読取プラテンに対して、搬送されてくる原稿を読み込むと、白や黒の点やすじ等が原稿の読取画像に現れ、画像品質が著しく損なわれる。このため、前記読取ユニットに備わる読取プラテンは、その都度又は定期的にクリーニングする必要性がある。また、読取ユニット内のランプなどの消耗品についても交換等の定期的なメンテナンスも必要である。
【特許文献１】特開２００２−１８２４３７号公報
【特許文献２】特開２００５−３０４０６４号公報
【特許文献３】特開平４−３３６８５７号公報
【発明の開示】
【発明が解決しようとする課題】
【０００５】
しかしながら、前記読取ユニットは、装置本体内に固定して組み込まれるため、クリーニングやメンテナンスを行う際は、装置本体のカバーや側板を外すなどして取り出さなければならない。近年、自動で原稿の両面読取を行う機種が増えてきているが、このような機種では読取ユニットを２つ有して構成されているものがある。通常の複写機においては、装置本体とこの装置本体の上に設置される開閉可能な原稿送り装置とで構成されているものが多い。このような機種に対して２つの読取ユニットを配置する場合、第１の読取ユニットは、画像読取装置本体の上部に配置され、第２の読取ユニットは、原稿送り装置内に内蔵される。前記第１の読取ユニットは、原稿送り装置を開閉することによって第１の読取プラテンに付着した汚れを簡単に除去できるが、第２の読取ユニットは、複雑な原稿搬送経路や原稿送りローラ等の部品類が数多く存在する原稿送り装置内に組み込まれるため、簡単には第２のプラテンに付着した汚れを除去することができない。
【０００６】
前記第２の読取ユニットのように、原稿送り装置内に内蔵されている場合は、プラテンのクリーニングや部品のメンテナンスのために前記第２の読取ユニットのみを単独で取り外すことも考えられるが、その取り外しが容易でなく、また、取り外したり装着したりする際に、前述したような前記読取ユニットの第２のプラテンに向けて配設されているガイド手段のガイド突起などが接触するなどしてプラテンガラス面に損傷を与える恐れがある。
【０００７】
そこで、本発明の目的は、原稿の画像読取処理を行うための読取ユニットが装置本体内に組み込まれる構造であっても、前記読取ユニットに備わる読取プラテンのクリーニングや交換等のメンテナンスが容易であると共に、クリーニングやメンテナンスの際に前記読取プラテンに損傷を及ぼすことのない着脱構造を備えた画像読取装置を提供することである。
【課題を解決するための手段】
【０００８】
上記課題を解決するために、本発明の画像読取装置は、原稿を読み取るための読取プラテンを有する読取ユニットと、この読取ユニットを装置本体に対して着脱可能に支持する支持手段と、前記読取プラテンに対向して配置され該読取プラテンとの間に搬送経路の一部を構成すると共に、該読取プラテンから離れる方向に移動可能に設けられるガイド手段と、前記読取ユニットの前記装置本体に対する着脱動作を規制する規制手段と、前記ガイド手段の移動動作と前記規制手段による前記読取ユニットの規制の解除動作を連動させる連動手段とを設けたことを特徴とする。
【発明の効果】
【０００９】
本発明に係る画像読取装置によれば、原稿送り装置に組み込まれている読取ユニットをクリーニングやメンテナンス等する場合に、前記読取ユニットの読取プラテンに対向して配置されているガイド手段を読取プラテンから離れる方向に移動させないと読取ユニットが着脱できない構造となっている。これによって、前記読取ユニットが不用意に原稿送り装置から引き出されるのが防止され、前記ガイド手段が近接して対向する読取プラテンにキズを付けたり、汚したりすることなく安全且つ容易にクリーニングやメンテナンス等を行うことができる。
【発明を実施するための最良の形態】
【００１０】
以下、添付図面に基づいて本発明に係る画像読取装置の実施形態を詳細に説明する。図１は第１及び第２の画像読取部を備えた本発明の画像読取装置の断面図である。図１において、Ａは第１の画像読取部Ｈ１の上部に搭載された給紙装置としての原稿送り装置である。この原稿送り装置Ａは、第１の画像読取部Ｈ１の上面に設けられた第１の読取プラテン（第１のコンタクトガラス）１上を原稿が通過するように配置される。
【００１１】
前記第１の画像読取部Ｈ１は、第１のコンタクトガラス１を介してランプ等の光源から発せられた光を原稿に照射し、その反射光を複数のミラーで反射させ、レンズを介してＣＣＤなどの光電変換手段により光電変換して原稿画像を読み取る第１の読取ユニット３を備え、第１のコンタクトガラス１の上面に第１の画像読取部Ｈ１を構成している。また、この第１の画像読取部Ｈ１は、前記第１のコンタクトガラス１の後方に第２の読取プラテン（第２のコンタクトガラス）２を備えている。この第２のコンタクトガラス２は、原稿を載せ置くことのできる面積を備えており、原稿送り装置Ａを上方に開けた状態で本や雑誌等の厚い原稿を載せ置き、前記第１の読取ユニット３を副走査方向に移動させることによって、原稿画像を読み取ることができる。
【００１２】
前記原稿送り装置Ａは、大量の原稿を一度に載置することのできる給紙トレイ４１及び昇降トレイ４２を有する給紙トレイユニットＴと、この給紙トレイユニットＴの下方側に配置され、前記第１の画像読取部Ｈ１で原稿画像が読み取られた原稿を収納する排紙トレイ１１と、前記第２のコンタクトガラス２を押圧するための押圧カバー１２と、前記給紙トレイユニットＴから排紙トレイ１１に原稿を搬送するためのＵ字状の搬送パス１３とを備えて構成されている。前記押圧カバー１２は、例えばスポンジ等の多孔質部材と白色マイラー等のフィルム部材とによって構成されている。
【００１３】
また、この実施形態における原稿送り装置Ａでは、前記Ｕ字状の搬送パス１３の湾曲部に原稿の裏面画像を読み取る第２の読取ユニット４を有する第２の画像読取部Ｈ２が設けられている。前記第２の読取ユニット４は、第１の読取ユニット３と同様、搬送パス１３の一部を形成する第３の読取プラテン（第３のコンタクトガラス）７を介してランプ等の光源から発せられる光を原稿に照射し、その反射光を複数のミラーで反射させてレンズを介してＣＣＤなどの光電変換手段により光電変換して原稿画像を読み取るように構成されており、第３のコンタクトガラス７の上面が第２の画像読取部Ｈ２として構成される。このように、原稿送り装置Ａでは、搬送パス１３の途中に設けられる第２の画像読取部Ｈ２を通過する原稿の一方の片面原稿画像を第２の読取ユニット４で読み取り、前記第１の画像読取部Ｈ１を通過する原稿の他方の片面原稿画像を第１の読取ユニット３で読み取るので、両面原稿の画像読取時間を大幅に短縮することができる。
【００１４】
前記Ｕ字状の搬送パス１３は、給紙トレイユニットＴから原稿を繰り出すための繰出ローラ２１と、繰出ローラ２１から繰り出された原稿を１枚ずつ分離して給送するための給紙ローラ２２及び分離パッド２３からなる分離手段と、給紙ローラ２２から給紙された原稿の先端がそのニップ点に突き当たることによって原稿の先端を整合してスキューを除去し、その後に駆動して原稿を下流側に送るレジストローラ対２４とを備える。また、搬送パス１３は、前記レジストローラ対２４からの原稿を前記第２の画像読取部Ｈ２及び第１の画像読取部Ｈ１に向けて送り出す送りローラ対２５と、送りローラ対２５からの原稿を第２の画像読取部Ｈ２に供給する第１の読取ローラ対２６と、第２の画像読取部Ｈ２にて一方の片面が読み取られた原稿を第１の画像読取部Ｈ１に供給する第２の読取ローラ対２７とを備える。さらに、搬送パス１３は、前記第２の画像読取部Ｈ２と第１の画像読取部Ｈ１とを通過した原稿を搬出する第３の読取ローラ対２８と、第１の画像読取部Ｈ１を通過して両面が読み取られた後の原稿を第３の読取ローラ対２８から受けて排紙トレイ１１に向けて搬送する第１排紙ローラ対２９と、原稿を排紙トレイ１１に排紙する第２排紙ローラ対３０とを備えている。この実施形態では、上記の搬送パス１３は複数の部材を組み込んだ搬送ユニットＦとして構成されている。
【００１５】
次に、上記構成からなる原稿送り装置Ａによる原稿搬送動作について説明する。先ず、給紙トレイユニットＴ上に原稿が載置されたことをエンプティセンサＳ１が検知し、さらに第２の画像読取部Ｈ２からの給紙指令信号によって、繰出ローラ２１と給紙ローラ２２とが駆動する。これによって、給紙トレイユニットＴの上に載置された複数の原稿が順次繰り出され、分離パッド２３によって１枚ずつ分離されたのち給送される。給送された原稿の先端をレジストセンサＳ２が検知すると、その検知した時点から原稿を所定量搬送することによって、レジストローラ対２４のニップ部に原稿の先端が突き当たって整合され、スキューが取り除かれる。その後、レジストローラ対２４，送りローラ対２５及び各読取ローラ対２６，２７，２８が駆動する。これによって、原稿はＵ字状の搬送パス１３に沿ってその表裏が反転するように搬送され、第２の画像読取部Ｈ２、第１の画像読取部Ｈ１の順に通過する。この第２の画像読取部Ｈ２を通過する時に原稿の一方の片面が読み取られ、第１の画像読取部Ｈ１を通過する時に原稿の他方の片面が読み取られる。
【００１６】
原稿の先端が第１排紙ローラ対２９に到達する前に、第１排紙ローラ対２９と第２排紙ローラ対３０とが駆動し、第２の画像読取部Ｈ２と第１の画像読取部Ｈ１とで両面が読み取られた原稿を排紙トレイ１１上に排紙する。
【００１７】
なお、上述した原稿送り装置Ａには、搬送パス１３のレジストローラ対２４と送りローラ対２５との間の経路に重送検出センサＧＳが設けられている。この重送検出センサＧＳは、超音波を発振する発振部と超音波を受振する受振部とを経路を挟んで対向して配置されており、受振した超音波の振動レベルによって原稿の重送を検出する。また、搬送パス１３の排紙トレイ１１側の排紙部にはインプリンタ８が設けられている。このインプリンタ８は、第１排紙ローラ２９と第２排紙ローラ３０とによって排紙される原稿面に５文字程度の文字を印刷することができる。ここでは、原稿の重送などの搬送エラーや第１、第２の読取ユニット３，４による読取エラーが発生したことを報知する文字をエラーの発生した原稿に印刷するようになっている。
【００１８】
前記第２の画像読取部Ｈ２は、図２及び図３に示すように第２の読取ユニット４と、この読取ユニット４に対向配置されるガイド手段１４とで構成されている。ここで、図２はガイド手段１４を原稿送り装置Ａ側に対して閉じた通常の使用状態を示した断面図であり、図４は前記ガイド手段１４を原稿送り装置Ａから離間したメンテナンス状態を示した断面図である。前記第２の読取ユニット４は、第３のコンタクトガラス７と、この第３のコンタクトガラス７上に連続して搬送されてくる原稿に光を照射するランプなどの光源６ａ、原稿からの反射光を所定の方向に導く複数のミラー６ｂ，６ｃ，６ｄ，６ｅ、この複数のミラー６ｂ〜６ｅにより導かれた反射光を収束するレンズ６ｆ、このレンズ６ｆにより収束された光を光電変換する光電変換素子６ｇなどから構成される光電変換部１５とを備えている。
【００１９】
前記ガイド手段１４は、取付軸１８を支点として前記第３のコンタクトガラス７に対向する位置と離れる位置との間で開閉自在な搬送カバー１６と、この搬送カバー１６内に設けられるバックアップユニット９とで構成されている。バックアップユニット９は、内部が密閉された箱状のベース部材９ａを有し、前記第３のコンタクトガラス７に対向する面がガイド面９ｇとなっている。そして、このガイド面９ｇの裏面側にはバックアップガラス９ｂが設けられている。また、バックアップユニット９の内部には、回転支点９ｃを有する白色板９ｄが設けられ、前記ベース部材９ａの内側壁面９ｅが黒色となっている。このような構成からなるバックアップユニット９は、電源投入時や原稿を読み取る直前などの任意のタイミングで白色板９ｄを第２の画像読取部Ｈ２で読み取り、シェーディング補正データを取得する。片面に画像が形成された片面原稿を読み取る場合は、バックアップガラス９ｂ面に隣接した位置に白色板９ｄをアクチュエータ（図示せず）によって回転移動させる。また、両面に画像が形成された両面原稿を読み取る場合は、白色板９ｄをバックアップガラス９ｂ面に隣接した位置より退避させた位置に回転させる。これによって、片面原稿を読み取る場合は原稿のバックアップ色が白色板９ｄの白色面となり、両面原稿を読み取る場合は原稿のバックアップ色がベース部材９ａの内側壁面９ｅの黒色となる。これによって、読取面側と異なる側の面に形成された画像が読み取られる、いわゆる原稿裏映りを確実に防止することができる。
【００２０】
前記バックアップユニット９のガイド面９ｇには、原稿の搬送幅方向の両端部に沿うような位置にガイド突起９ｆが設けられる。このガイド突起９ｆは、ガイド手段１４を第３のコンタクトガラス７に対向するようにセットした際、この第３のコンタクトガラス７との間に原稿を搬送させるための最小幅のギャップを形成するためのものである。そして、このバックアップユニット９を圧縮バネ１０によって、第２の画像読取部Ｈ２に向けて付勢することで、ガイド突起９ｆが第３のコンタクトガラス７の読取面に当接あるいは近接して、原稿がスムーズに通過できるように保持される。
【００２１】
上述した第２の読取ユニット４は、原稿送り装置Ａに対して着脱自在な構成になっている。この構成を図４〜図７に基づき詳しく説明する。図４は第２の読取ユニットが取り外された状態を示す斜視図、図５は第２の読取ユニットが装着位置に保持された状態を示す斜視図、図６は第２の読取ユニットが着脱される状態を示す斜視図、また、図７は第２の読取ユニットが保持された状態を示す平面図である。
【００２２】
図４に示すように原稿送り装置Ａのフロント側の側板５０には第２の読取ユニット４が装着支持される支持手段（開口部）５０ａが設けられている。この開口部５０ａは、第２の読取ユニット４の側端側外形と略同一形状となっている。また、原稿送り装置Ａのリア側の側板５１には図７に示すように、第２の読取ユニット４を主走査方向の一端側に支持するためのボス５１ａ，５１ｂが設けられている。ここで、符号５２は、第２の読取ユニット４を主走査方向に位置する側板５１に支持するための支持部材である。この支持部材５２は、リア側の側板５１のボス５１ａ，５２ｂと同様なボス５２ａ，５２ｂが設けられており、このボス５２ａ，５２ｂによって第２の読取ユニット４が前記側板５１側で支持されることになる。なお、図４の符号５３は原稿送り装置Ａの側部を覆うカバー部材（ステー）である。
【００２３】
前記第２の読取ユニット４は、図４及び図５に示されるように、その一側面側を開口部５０ａに向けた状態で原稿送り装置Ａ内に嵌め込み、ステー５３と共にリア側に向かってスライド装着される。その際、図７に示したように、第２の読取ユニット４のリア側に設けられている嵌合孔６ｈが側板５１のボス５１ａ，５１ｂに嵌合して、第２の読取ユニット４が原稿送り装置Ａ内に位置決めされる。このとき、原稿送り装置Ａの内部は遮蔽部材５４によって遮蔽されており、この遮蔽部材５４が第２の読取ユニット４の挿入される挿入路を形成している。このため、前記開口部５０ａ内に挿入された第２の読取ユニット４は、大きなずれを生じることなく、嵌合孔６ｈ及びボス５１ａ，５１ｂを介して適正な装着位置に導かれる。また、ボス５１ａ，５１ｂの先端側は、嵌合孔６ｈとボス５１ａ，５１ｂの位置が多少ずれていたとしても確実に嵌合できるように円錐形状となっている。
【００２４】
前述したような装着操作によって、第２の読取ユニット４のリア側が嵌合孔６ｈとボス５１ａ，５１ｂによって位置決めされた後、支持部材５２のボス５２ａ，５２ｂを第２の読取ユニット４のフロント側に設けられている嵌合孔６ｉに嵌合させ、この支持部材５２をビスなどの固定部材５５で側板５０に取り付ける。このような固定部材５５による支持部材５２の取付孔５２ｃに対応する取付孔を側板５０の上下方向に予め所定間隔で複数設けておけば、前記側板５０の複数の取付孔のいずれか一つを選択して支持することで、第２の読取ユニット４を装着した際の開口部５０ａ内での高さ方向の傾きを調整することができる。なお、前記側板５１に設けられているボス５１ａ，５１ｂ及び支持部材５２のボス５１ａ，５２ｂは、第２の読取ユニット４が嵌め込み支持される先端部分にゴムなどの弾性部材が取り付けられ、この弾性部材によって第２の読取ユニット４の嵌合孔６ｈ，６ｉに圧入される。これによって、装着された第２の読取ユニット４のガタツキをなくすとともに、原稿送り装置Ａの開閉動作による衝撃や駆動モータに備わるアクチュエータの振動が直接に第２の読取ユニット４に伝達されるのを緩和させることができる。最後に、支持部材５２を側板５０に取り付けた後にステー５３を取り付けることで、第２の読取ユニット４の装着が完了する。なお、第２の読取ユニット４を取り外しする際は、前述した装着時と逆の手順となる。つまり、ステー５３を最初に取り外し、次に側板５０から支持部材５２を取り外す。そして、側板５０の開口部５０ａから第２の読取ユニット４に備わる引出取手をフロント側にスライドさせることで、原稿送り装置Ａからの取り外しが可能となる。
【００２５】
上記構成によれば、フロント側の側板５０に開口部５０ａを設け、第２の読取ユニット４をフロント側にスライドさせることで原稿送り装置Ａに対して第２の読取ユニット４を着脱するように構成したので、読取ユニット４の着脱を容易に行うことができる。
【００２６】
本発明の特徴的なところは、前記第２の読取ユニット４を着脱する際に、この第２の読取ユニット４に備わる第３のコンタクトガラス７にキズ等が生じないようにする構成を備えている点にある。このため、本発明の画像読取装置では、第２の読取ユニット４に対向するバックアップガイドとなるバックアップユニット９の状態によって、第２の読取ユニット４の着脱動作を規制する規制手段７０が設けられている。
【００２７】
図５及び図６に示したように、前記規制手段７０は、軸７０ａを介して側板５０に回転自在に取り付けられている。この規制手段７０は、図８に示すように、前記軸７０ａを支点として回転する回転板７５と、この回転板７５の一端に連結されるリンク部材７１と、このリンク部材７１に連動して上下動するピンチローラ２７ａを回転保持する支持軸７２とで構成される。前記回転板７５は、原稿送り装置Ａの開口部５０ａの一部を覆うように規制する規制面７０ｄと、開閉動作する搬送カバー１６の側面に設けられている突起部１７に当接する連動手段（第１ピン）７０ｂと、リンク部材７１の一端に取り付けられる第２ピン７０ｃとからなる。前記リンク部材７１は、一端に前記第２ピン７０ｃが嵌合する長孔７１ａが形成され、他端に前記支持軸７２の一端が取り付けられている。前記支持軸７２には、図１〜図３に示した第２読取ローラ対２７を構成する複数のピンチローラ２７ａが取り付けられたアーム７３とを備えている。また、前記アーム７３には、支持軸７２の上下動に応じた弾性力を付与するためのバネ部材７４が設けられている。
【００２８】
前記の構成からなる規制手段７０は、次のような動作によって第２の読取ユニット４の着脱を規制する。この動作を図５、図６、図８に基づいて説明すると、先ず図２及び図５に示したように、原稿送り装置Ａのガイド手段１４を構成する搬送カバー１６を閉じようとする状態（バックアップユニット９のガイド突起９ｆが第３のコンタクトガラス７に当接しようとする状態）にあっては、搬送カバー１６の内側面に突出している突起部１７の右方向の回転移動によって第１ピン７０ｂが矢印ａ1方向に回転する。これによって、回転板７５は軸７０ａを支点として矢印ａ２方向に回転し、規制面７０ｄが図４に示したように側板５０の開口部５０ａの一部と重なる位置に移動する。これによって、図５に示したように、前記規制面７０ｄが側板５０の開口部５０ａの一部を遮るので、第２の読取ユニット４の取り外しや装着ができない状態となる。
【００２９】
このとき、回転板７５の他方の第２ピン７０ｃは、リンク部材７１の長孔７１ａに係合しているため、前記回転板７５の矢印ａ２方向の回転運動に伴ってリンク部材７１は、矢印ａ３方向に回転する。このリンク部材７１の回転は支持軸７２に伝達され、この支持軸７２が矢印ａ４方向に回転する。この回転はバネ部材７４を介してアーム７３を矢印ａ５方向に押し上げる。これによって、アーム７３に回転自在に取り付けられたピンチローラ２７ａも矢印ａ５方向に回転して対をなす駆動ローラ２７ｂに圧接する。なお、バネ部材７４は、ピンチローラ２７ａが駆動ローラ２７ｂに圧接するまではアーム７３に回転力を付与するが、ピンチローラ２７ａが駆動ローラ２７ｂに圧接するとバネ部材７４が支持軸７２に対して弛み、バネ力が発生する。このバネ力によってピンチローラ２７ａが駆動ローラ２７ｂに圧接する圧接力は一定に保たれる。
【００３０】
次に、図３及び図６示したように、搬送カバー１６を開こうとする状態（バックアップユニット９のガイド突起９ｆが第３のコンタクトガラス７から離れようとする状態）にあっては、搬送カバー１６の突起部１７が第１ピン７０ｂから離れることによって、ピンチローラ２７ａの駆動ローラ２７ｂへの圧接・保持力が解除され、ピンチローラ２７ａは自重によって下方に移動する。これによって、アーム７３が矢印ｂ１方向に回転し、これに伴ってアーム７３の支持軸７２が矢印ｂ２方向に回転する。この支持軸７２の回転によって、支持軸７２に連結されたリンク部材７１が矢印ｂ３方向に回転する。そして、リンク部材７１の長孔７１ａに係合した第２ピン７０ｃがリンク部材７１の回転に伴って矢印ｂ４方向に回転する。これによって、回転板７５の規制面７０ｄは、図６に示したように側板５０の開口部５０ａと重ならない位置に移動する。これによって、側板５０の開口部５０ａの全部が遮断されることなく開口状態となるので、第２読取ユニット６の取り外しや装着動作が可能な状態となる。
【００３１】
上記構成によれば、搬送カバー１６が閉じてバックアップユニット９のガイド面９ｇに設けられているガイド突起９ｆが第２の読取ユニット４に備わる第３のコンタクトガラス７に近接した状態のときには、第２の読取ユニット４の着脱ができない状態とし、搬送カバー１６の開いた状態でバックアップユニット９のガイド突起９ｆが第３のコンタクトガラス７から離れたときには、第２の読取ユニット４の着脱が可能な状態となる。これによって、前記ガイド突起９ｆが第３のコンタクトガラス７に当接あるいは近接した状態での第２の読取ユニット４の着脱が規制されるので、第３のコンタクトガラス７の表面が汚れたり、損傷したりするのを未然に防止することができる。
【００３２】
上記実施例においては、搬送カバー１６の閉じ動作によって、第２の読取ユニット４の着脱が不可能な状態になると同時に、搬送ローラ対２７におけるピンチローラ２７ａを駆動ローラ２７ｂに圧接するように構成されている。また、搬送カバー１６の開き動作によって、搬送ローラ対２７のピンチローラ２７ａを駆動ローラ２７ｂから離間させるとともに第２の読取ユニット４の着脱を可能な状態としている。つまり、紙詰まりを起したジャム原稿を取り除くために、搬送カバー１６の開閉に連動すると共に、第２読取搬送ローラ対の圧接・離間の連動機構の一部を第２の読取ユニット４における着脱機構としている。このため、部品の追加やスペースの確保などの問題が生じない。なお、搬送カバーと第２読取搬送ローラ対との連動機構を用いることなく、規制手段７０を図８における矢印ｂ５方向に付勢するバネを側板５０との間に設けてもよい。
【００３３】
上記実施例では、ガイド手段１４の搬送カバー１６の開閉によって、第３のコンタクトガラス７に当接するガイド突起９ｆを離間させるようにしたが、搬送カバー１６を開閉させることなく、レバーなどの操作手段によって、第３のコンタクトガラス７に向かう複数の突起が設けられた搬送ガイドを離間したり、近接させたりするような規制部材を読取ユニットの着脱を妨げる位置と妨げない位置に移動させるように構成してもよい。例えば、図９に示すように、レバー８２を操作して規制部材８０の開口部５０ａ内にある規制面８０ａを開口部５０ａ内より退避する位置まで図中左方向に回転させる。これによって、規制部材８０のピン８３がガイド手段８４の端部に当接して、コンタクトガラス８５から離れる方向に移動し、ガイド手段８４の突起８４ａがコンタクトガラス８５から離間する。図中左方向に回転移動可能な規制部材８０は、その爪部８０ｂが側板８８の突起８８ａを乗り越えてバネ８６の作用により突起８８ａと係合してロックされる。なお、規制部材８０の開口部５０ａ内の位置に移動させるときは、レバー８２を操作して規制部材８０の爪部８０ｂを前記突起８８ａから外れるように図中右側に移動させれば、バネ８６の作用により規制部材８０は側板８８に設けられたストッパー８７に当接して適正な位置で保持される。前記規制部材８０は樹脂形成することで、レバー８２を操作によって容易に爪部８０ｂを突起８８ａに係合させたり、外したりさせることが可能である。
【図面の簡単な説明】
【００３４】
【図１】本発明に係る画像読取装置を備えた原稿送り装置の全体構成を示す断面図である。
【図２】第２の画像読取部の通常の使用状態を示す要部断面図である。
【図３】第２の画像読取部のメンテナンス時の状態を示す要部断面図である。
【図４】第２の読取ユニットが装置本体から取り外されたときの状態を示す斜視図である。
【図５】第２の読取ユニットが装置本体内に装着されたときの状態を示す斜視図である。
【図６】第２の読取ユニットが装置本体に対して着脱可能な状態を示す斜視図である。
【図７】第２の読取ユニットが装置本体に装着されたときの状態を示す断面図である。
【図８】規制手段の構成及びその動作を示す斜視図である。
【図９】規制手段の他の構成例を示す要部断面図である。
【符号の説明】
【００３５】
Ａ  原稿送り装置
Ｆ  搬送ユニット
Ｈ１  第１の画像読取部
Ｈ２  第２の画像読取部
Ｔ  給紙トレイユニット
１  第１のコンタクトガラス
２  第２のコンタクトガラス
３  第１の読取ユニット
４  第２の読取ユニット
７  第３のコンタクトガラス（読取プラテン）
９  バックアップユニット
９ａ  ベース部材
９ｂ  バックアップガラス
９ｃ  回転支点
９ｄ  白色板
９ｅ  内側壁面
９ｆ  ガイド突起
９ｇ  ガイド面
１０  圧縮バネ
１３  搬送パス
１４  ガイド手段
１５  光電変換部
１６  搬送カバー
１７  突起部
１８  取付軸
２１  繰出ローラ
２２  給紙ローラ
２３  分離パッド
２４  レジストローラ対
２５  送りローラ対
２６  読取ローラ対
２７  読取ローラ対
２７ａ  ピンチローラ
２８  読取ローラ対
２９  第１排紙ローラ対
３０  第２排紙ローラ対
５０，５１  側板
５０ａ  開口部（支持手段）
５１ａ，５１ｂ  ボス
５２  支持部材
５２ａ，５２ｂ  ボス
５３  ステー
５４  遮蔽部材
５５  固定部材
７０  規制手段
７０ａ  軸
７０ｂ  第１ピン（連動手段）
７０ｃ  第２ピン
７０ｄ  規制面
７１  リンク部材
７１ａ  長孔
７２  支持軸
７３  アーム
７４  バネ部材
７５  回転板
【図１】
2008162775.tif 000003
【図２】
2008162775.tif 000004
【図３】
2008162775.tif 000005
【図４】
2008162775.tif 000006
【図５】
2008162775.tif 000007
【図６】
2008162775.tif 000008
【図７】
2008162775.tif 000009
【図８】
2008162775.tif 000010
【図９】
2008162775.tif 000011